(57)【要約】 【課題】シャッターチャンスを考慮したスリープモードの切替制御が可能な撮像装置を提供する。【解決手段】カメラ本体１は、スイッチ２７を備える。手振れ量を検出する第１、第２手振れセンサ１０ａ、１０ｂを備える。手振れ量を検出するための第１、第２手振れセンサ１０ａ、１０ｂからの第１、第２出力値と、スイッチ２７の操作の有無とに基づいて、スリープモードの切り替え制御を行う制御回路１３を備える。制御回路１３は、第１時間の間、第１、第２出力値が一定数値未満で、且つスイッチ２７の操作が無い場合に、スリープモードにする。制御回路１３は、第１時間よりも短い一定時間の間、第１、第２出力値が一定数値未満で、且つスイッチ２７の操作が無い場合に、第１、第２手振れセンサ１０ａ、１０ｂのいずれか一方の検出動作を止める。【選択図】図２
2007279553.tif 000002
【特許請求の範囲】
【請求項１】
スイッチと、
手振れ量を検出する手振れセンサと、
前記手振れ量を検出するための前記手振れセンサからの出力値と、前記スイッチの操作の有無とに基づいて、スリープモードの切り替え制御を行う制御部とを備えることを特徴とする撮像装置。
【請求項２】
前記手振れセンサは、ヨーイング角速度を検出する第１手振れセンサと、ピッチング角速度を検出する第２手振れセンサとを有し、前記手振れセンサからの出力値は、前記第１、第２手振れセンサからの第１、第２出力値であることを特徴とする請求項１に記載の撮像装置。
【請求項３】
前記制御部は、第１時間の間、前記第１、第２出力値が一定数値未満で、且つ前記スイッチの操作が無い場合に、前記スリープモードにすることを特徴とする請求項２に記載の撮像装置。
【請求項４】
前記制御部は、前記第１時間よりも短い一定時間の間、前記第１、第２出力値が一定数値未満で、且つ前記スイッチの操作が無い場合に、前記第１、第２手振れセンサのいずれか一方の検出動作を止めることを特徴とする請求項３に記載の撮像装置。
【請求項５】
前記制御部は、前記スリープモードにある時に、前記第１、第２出力値の少なくとも一方が一定数値以上になった場合または前記スイッチの操作があった場合に前記スリープモードを解除することを特徴とする請求項２に記載の撮像装置。
【請求項６】
前記制御部は、第１時間の間、前記手振れセンサからの出力値が一定数値未満で、且つ前記スイッチの操作が無い場合に、前記スリープモードにすることを特徴とする請求項１に記載の撮像装置。
【請求項７】
手振れ量を検出する手振れセンサと、
前記手振れ量を検出するための前記手振れセンサからの出力値に基づいて、スリープモードの切り替え制御を行う制御部とを備えることを特徴とする撮像装置。
【発明の詳細な説明】
【技術分野】
【０００１】
本発明は、撮像装置に関し、特にスリープモード切り替え制御を行う撮像装置に関する。
【背景技術】
【０００２】
従来、カメラなどの撮像装置において、一定時間、操作が行われない場合に、表示部など制御部以外の動作を休止させるスリープモード機能を有する撮像装置が提案されている。
【０００３】
特許文献１は、スリープモード機能として、接眼検知が一定時間行われない場合に、カメラのグリップが把持されたかどうかを検知する手段の動作を停止させるカメラを開示する。
【特許文献１】特開平０４−２９５８３５号公報
【発明の開示】
【発明が解決しようとする課題】
【０００４】
しかし、特許文献１の装置では、使用者がファインダを覗かない状態など、接眼検知が行われない状態でカメラ本体を使用者が保持したまま、シャッターチャンスを待っていると、スリープモードに切り替わってしまい、スリープモードを解除して撮影を行うまでにシャッターチャンスを逃してしまうことが起こり得る。
【０００５】
したがって本発明の目的は、シャッターチャンスを考慮したスリープモードの切り替え制御が可能な撮像装置を提供することである。
【課題を解決するための手段】
【０００６】
本発明に係る撮像装置は、スイッチと、手振れ量を検出する手振れセンサと、手振れ量を検出するための手振れセンサからの出力値とスイッチの操作の有無とに基づいて、スリープモードの切り替え制御を行う制御部とを備える。
【０００７】
好ましくは、手振れセンサは、ヨーイング角速度を検出する第１手振れセンサと、ピッチング角速度を検出する第２手振れセンサとを有し、手振れセンサからの出力値は、第１、第２手振れセンサからの第１、第２出力値である。
【０００８】
さらに好ましくは、制御部は、第１時間の間、第１、第２出力値が一定数値未満で、且つスイッチの操作が無い場合に、スリープモードにする。
【０００９】
さらに好ましくは、制御部は、第１時間よりも短い一定時間の間、第１、第２出力値が一定数値未満で、且つスイッチの操作が無い場合に、第１、第２手振れセンサのいずれか一方の検出動作を止める。
【００１０】
また、好ましくは、制御部は、スリープモードにある時に、第１、第２出力値の少なくとも一方が一定数値以上になった場合またはスイッチの操作があった場合にスリープモードを解除する。
【００１１】
また、好ましくは、制御部は、第１時間の間、手振れセンサからの出力値が一定数値未満で、且つスイッチの操作が無い場合に、スリープモードにする。
【００１２】
また、本発明に係る撮像装置は、手振れ量を検出する手振れセンサと、手振れ量を検出するための手振れセンサからの出力値に基づいて、スリープモードの切り替え制御を行う制御部とを備える。
【発明の効果】
【００１３】
以上のように本発明によれば、シャッターチャンスを考慮したスリープモードの切り替え制御が可能な撮像装置を提供することができる。
【発明を実施するための最良の形態】
【００１４】
以下、本実施形態について、図を用いて説明する。カメラ本体１はデジタルカメラであるとして説明する。なお、方向を説明するために、カメラ本体１において、撮影レンズ２内に収容されている撮影レンズ（不図示）の光軸Ｏと直交する水平方向を第１方向ｘ、光軸Ｏと直交する鉛直方向を第２方向ｙ、光軸Ｏと平行な水平方向を第３方向ｚとして説明する。
【００１５】
カメラ本体１は、撮影レンズ２、手振れ補正装置１０、ＣＣＤ駆動回路１１、タイミングジェネレータ１２、制御回路１３、相関二重サンプリング回路（ＣＤＳ：Ｃｏｒｒｅｌａｔｅｄ  Ｄｏｕｂｌｅ  Ｓａｍｐｌｉｎｇ）１４、ＡＤＣ（Ａｎａｌｏｇｕｅ  Ｄｉｇｉｔａｌ  Ｃｏｎｖｅｒｔｅｒ）１５、信号処理回路１６、バッファメモリ１７、メモリカードコントローラ１８、カードスロット１９、メモリカード２０、ビデオエンコーダ２１、ＬＣＤ駆動回路２２、イメージＬＣＤ２３、バックライト駆動回路２４、バックライト２５、電源部２６、及びスイッチ２７を有する（図１、２参照）。
【００１６】
被写体像は、ＣＣＤ駆動回路１１によって駆動されるＣＣＤ１０ｅによって撮影レンズ２を介した光学像として撮像される。ＣＤＳ１４における相関二重サンプリング処理、及びＡＤＣ１５におけるＡ／Ｄ変換後、信号処理回路１６において画像処理される。ＣＣＤ駆動回路１１、及びＡＤＣ１５の動作は、タイミングジェネレータ１２がこれらに出力するクロックパルスに従って行われる。
【００１７】
制御回路（マイコン）１３は、スイッチ２７の操作などに基づいて、各部の制御を行う。制御回路１３は、タイマー機能を有しており、カメラ本体１がスリープモードを使用する状態にある時に、連続して第１、第２手振れセンサ１０ａ、１０ｂからの出力値が一定数値未満で、且つスイッチ２７の操作が行われていない時間ｔを計測する。本実施形態では、一定数値はゼロであるとして説明するが他の数値であってもよい。
【００１８】
制御回路１３は、第１時間ｔ１の間、第１、第２手振れセンサ１０ａ、１０ｂからの出力値が一定数値未満で、且つスイッチ２７の操作が行われていない場合（ｔ≧ｔ１）に、カメラ本体１をスリープモードにする（スリープ状態にする）。また、制御回路１３は、カメラ本体１がスリープモードにある時に、第１、第２手振れセンサ１０ａ、１０ｂの少なくとも一方からの出力値が一定数値以上になった場合、またはスイッチ２７のいずれかのスイッチの操作が行われた場合に、スリープモードを解除する（スリープ状態を解除する）。
【００１９】
スリープモードの時、制御回路１３は、第１、第２手振れセンサ１０ａ、１０ｂ、制御回路１３、及びスイッチ２７を除く各部への電力供給を停止させる。また、スリープモードの時、制御回路１３は、後述する手ブレ補正ユニット１０ｄを移動範囲の中心に移動させる（光軸ＯがＣＣＤ１０ｅの中心を通る位置関係にする）。
【００２０】
カメラ本体１がスリープモードを使用する状態にあるか否かについては、使用者がスイッチ２７を操作することによって設定される。スリープモードを使用する状態に無い場合は、第１、第２手振れセンサ１０ａ、１０ｂの出力、スイッチ２７の操作状況に関わらず、スリープモードにはされない。
【００２１】
画像処理時におけるデータの一時記憶は、バッファメモリ１７で行われる。画像処理された画像データは、メモリカードコントローラ１８の制御下で、カードスロット１９に挿入されたメモリカード２０に記録される。但し、ＲＡＷ形式ファイルは、画像処理が行われていない状態でメモリカード２０に記録される。画像処理された画像データは、ビデオエンコーダ２１を介して外部機器へ信号出力され、また、ＬＣＤ駆動回路２２によって駆動されたイメージＬＣＤ（表示部）２３に表示される。イメージＬＣＤ２３のバックライト２５は、バックライト駆動回路２４により駆動され、イメージＬＣＤ２３の表示状態の明るさを調整する。
【００２２】
電源部２６は、各部に電力を供給する。
【００２３】
手振れ補正装置１０は、第１手振れセンサ（ヨー）１０ａ、第２手振れセンサ（ピッチ）１０ｂ、手振れ補正ユニット駆動回路１０ｃ、手振れ補正ユニット１０ｄ、ＣＣＤ１０ｅを有する。
【００２４】
手振れ補正装置１０は、手振れ量に対応して、ＣＣＤ１０ｅを含む手振れ補正ユニット１０ｄを光軸Ｏに垂直な平面上（以下、ｘｙ平面上とする）を移動させることによって、手振れによって生じた被写体像の結像面における光軸Ｏのずれを無くし、被写体像と結像面位置を一定に保つことで、像ブレを補正する装置である。
【００２５】
手振れ量は、第１、第２手振れセンサ１０ａ、１０ｂによって検出される。第１手振れセンサ１０ａは、カメラ本体１の第２方向ｙ軸周りの回転運動（ヨーイング）の角速度を検出する。第２手振れセンサ１０ｂは、カメラ本体１の第１方向ｘ軸周りの回転運動（ピッチング）の角速度を検出する。第１、第２手振れセンサ１０ａ、１０ｂの角速度検出は、第１時間ｔ１よりも短い第２時間ｔ２おきに行われる。
【００２６】
第１時間ｔ１は、１分以上の長さ、第２時間ｔ２は１ｍｓ程度の長さを有するが、第２時間ｔ２が第１時間ｔ１よりも短い条件下で、使用者などによって他の長さに設定されてもよい。
【００２７】
カメラ本体１を使用者が手で保持している場合には、保持状態における揺れを第１、第２手振れセンサ１０ａ、１０ｂが検出するため、これらからの出力値が一定数値以上になる。そのため、この間、スイッチ２７の操作が第１時間ｔ１の間行われなかったとしてもカメラ本体１はスリープモードにされない。
【００２８】
第１時間ｔ１の間における、スイッチ２７の操作の有無（又は接眼検知状態）を検出することだけによりスリープモードのオン／オフ状態を切り替える形態では、カメラ本体１を使用者が保持したまま、シャッターチャンスを待っている状態で、使用者が意図しないのに、スリープモードに切り替わってしまうことが起こり得る。この場合、スリープモードを解除して撮影を行うまでにシャッターチャンスを逃してしまう場合がある。本実施形態では、スイッチ２７の操作が無い状態であっても、第１、第２手振れセンサ１０ａ、１０ｂからの出力値の少なくとも一方が一定数値以上あればスリープモードに切り替わらない（スリープモードであっても解除される）ため、スイッチ操作が無くても、使用者が意図せずスリープモードに切り替わることはなく、シャッターチャンスを逃す可能性が低くなる。
【００２９】
手振れ補正機能など、手振れ量を検出する機能を有する撮像装置では、手振れ量を第２時間ｔ２おきに検出するため、新たな回路を増やすことなく、スリープモードの切り替え制御を行うことが可能になる。
【００３０】
一方、カメラ本体１を、机などの動かない物体の上に置かれた場合には、第１、第２手振れセンサ１０ａ、１０ｂは揺れを検出せず、これらからの出力値は一定数値未満になる。そのため、この間、スイッチ２７の操作が第１時間ｔ１の間行われなかった場合（ｔ≧ｔ１）には、カメラ本体１はスリープモードにされる。
【００３１】
手振れ補正ユニット駆動回路１０ｃは、制御回路１３の制御により、第１、第２手振れセンサ１０ａ、１０ｂによって検出された角速度に関する信号（出力値）に基づいて、手振れ補正ユニット１０ｄをｘｙ平面上を移動させる量を演算する。
【００３２】
次に、スリープモードへの切り替え制御の流れを図２のフローチャートを使って説明する。ステップＳ１で、制御回路１３のタイマーがリセットされる。ステップＳ２で、カメラ本体１がスリープモードを使用する状態にされているか否かが判断される。スリープモードを使用する状態にされていない場合には、フローは終了し、スリープモードを使用する状態にされている場合には、ステップＳ３で、第１、第２手振れセンサ１０ａ、１０ｂからの出力値が一定数値未満であるか否かが判断される。
【００３３】
第１、第２手振れセンサ１０ａ、１０ｂの少なくとも一方からの出力値が一定数値以上ある場合は、ステップＳ１に戻される。両方の出力値が一定数値未満の場合は、ステップＳ４で、スイッチ２７のいずれかのスイッチによる入力操作が行われたか否かが判断される。
【００３４】
スイッチ２７のいずれかのスイッチによる入力操作が行われた場合は、ステップＳ１に戻される。行われなかった場合は、ステップＳ５で、タイマーリセットされてからの経過時間（タイマーでカウントされた時間の値）ｔが第１時間ｔ１を越えたか否かが判断される。越えた場合（ｔ≧ｔ１）は、ステップＳ６で、カメラ本体１がスリープモード（スリープ状態）にされる。越えていない場合（ｔ＜ｔ１）は、ステップＳ７で、タイマーでカウントされる時間の値が一定量だけ増加され、その後ステップＳ２に戻される。
【００３５】
なお、ステップＳ３、及びステップＳ４の判断で、ステップＳ１に戻される場合であって、カメラ本体１がスリープモードにされている場合には、スリープモードは解除される。
【００３６】
また、ステップＳ５の判断で、経過時間ｔが、第１時間ｔ１よりも短く、第２時間ｔ２よりも長い任意の第３時間ｔ３よりも長い場合（ｔ≧ｔ３）には、第１、第２手振れセンサ１０ａ、１０ｂのいずれかの検出動作を止めるステップを設けても良い。これにより、消費電力を押さえる効果が得られる。
【００３７】
なお、本実施形態では、ＣＣＤ１０ｅを含む手振れ補正ユニット１０ｄがｘｙ平面上を移動する形態を説明したが、ＣＣＤ１０ｅは固定で、像ブレ補正レンズ（不図示）を手振れ補正ユニット１０ｄに配置して移動させる形態などでも手振れセンサを備えるものであれば同様の効果が得られる。この場合は、カメラ本体１がデジタルカメラでなくフィルムカメラであってもよい。また、ＣＣＤ１０ｅはＣＭＯＳなどの他の撮像素子であってもよい。
【図面の簡単な説明】
【００３８】
【図１】本実施形態におけるカメラ本体の外観を示す斜視図である。
【図２】カメラ本体の回路構成図である。
【図３】スリープモードに切り替わる手順を示すフローチャートである。
【符号の説明】
【００３９】
１  カメラ本体
２  撮影レンズ
１０  手振れ補正装置
１０ａ、１０ｂ  第１、第２手振れセンサ
１０ｃ  手振れ補正ユニット駆動回路
１０ｄ  手振れ補正ユニット
１０ｅ  ＣＣＤ
１１  ＣＣＤ駆動回路
１２  タイミングジェネレータ
１３  制御回路（マイコン）
１４  ＣＤＳ
１５  ＡＤＣ
１６  信号処理回路
１７  バッファメモリ
１８  メモリカードコントローラ
１９  カードスロット
２０  メモリカード
２１  ビデオエンコーダ
２２  ＬＣＤ駆動回路
２３  イメージＬＣＤ
２４  バックライト駆動回路
２５  バックライト
２６  電源部
２７  スイッチ
【図１】
2007279553.tif 000003
【図２】
2007279553.tif 000004
【図３】
2007279553.tif 000005